(57)【要約】【課題】衣類乾燥機用凝縮水の捕集・蒸発装置、衣類乾燥機及びその制御方法を提供する。【解決手段】前記装置は、凝縮水を捕集するように配置されたウォーターボックスユニットと、蒸気を発生するように配置された蒸気発生器（３）と、ウォーターボックスユニットと蒸気発生器（３）との間に接続された第１の水源管（４）とを含む。前記衣類乾燥機は上記凝縮水の捕集・蒸発装置が設置されている。上記衣類乾燥機に基づく制御方法は、ウォーターボックスユニットを用いて凝縮水を捕集し、衣類乾燥機内部の衣類に対して蒸気を噴射する必要があると、第１の水源管（４）を開くことで、ウォーターボックスユニットから蒸気発生器（３）に凝縮水を流入させて蒸気を発生する。前記衣類乾燥機用凝縮水の捕集・蒸発装置、衣類乾燥機及びその制御方法は、構造がより簡単で合理的であり、コストが低く、制御プロセスがより簡潔であり、制御精度がより高い。【選択図】図１
2018509996.tif 000002
【特許請求の範囲】
【請求項１】
衣類乾燥機用凝縮水の捕集・蒸発装置であって、
凝縮水を捕集するように配置されたウォーターボックスユニットと、
蒸気を発生するように配置された蒸気発生器（３）と、
前記ウォーターボックスユニットと蒸気発生器（３）との間に接続された第１の水源管（４）とを含む、
衣類乾燥機用凝縮水の捕集・蒸発装置。
【請求項２】
前記ウォーターボックスユニットは、凝縮水を貯蔵するように配置されたウォーターボックス（２１）と、前記ウォーターボックス（２１）を収容するように配置されたウォーターボックス収容室（２２）とを含み、
前記ウォーターボックス収容室（２２）は、前記第１の水源管（４）の一端に接続され、
前記ウォーターボックス（２１）に水位センサが内設され、
前記水位センサは、衣類乾燥機のコントローラに接続され、
前記ウォーターボックス（２１）の側壁又は底壁に弁（２５）が設置されている、
請求項１に記載の装置。
【請求項３】
前記ウォーターボックス（２１）は中空ボックス状構造であり、
前記ウォーターボックス（２１）の側壁に補水孔が設置され、
前記補水孔は、接続部（２３）を介して外部水源に接続されている、
請求項２に記載の装置。
【請求項４】
前記蒸気発生器（３）は、２本の水源管と１本の噴気管とを含み、
前記２本の水源管のうち、第１の水源管（４）が前記ウォーターボックスユニットに接続され、
前記２本の水源管のうち、第２の水源管が外部水源に接続されている、
請求項１〜３のいずれか一項に記載の装置。
【請求項５】
衣類乾燥機であって、
請求項１〜４のいずれか一項に記載の凝縮水の捕集・蒸発装置が設置されている、
衣類乾燥機。
【請求項６】
請求項５に記載の衣類乾燥機に基づく制御方法であって、
ウォーターボックスユニットを用いて凝縮水を捕集し、衣類乾燥機内部の衣類に対して蒸気を噴射する必要があると、第１の水源管（４）を導通することで、前記ウォーターボックスユニットから蒸気発生器（３）に凝縮水を流入させて蒸気を発生させ、蒸気を噴射する時間が予め設定された時間Ｔに達した後、蒸気発生器の動作を停止する、
制御方法。
【請求項７】
前記ウォーターボックスユニットは、凝縮水を貯蔵するように配置されたウォーターボックス（２１）を含み、前記ウォーターボックス（２１）に水位センサが内設され、前記水位センサは衣類乾燥機のコントローラに接続され、
蒸気を発生する過程において、前記ウォーターボックス（２１）における水位が低水位設定値Ｈ１より低いと検出されると、蒸気の発生を一時停止し、補水孔を通して前記ウォーターボックス（２１）に水を補給するが、水位が前記低水位設定値Ｈ１以上になると、蒸気の発生を再開し、前記ウォーターボックス（２１）における水位が高水位設定値Ｈ２に達すると、水の補給を停止し、
或いは、前記蒸気発生器（３）は、２本の水源管と１本の噴気管とを含み、前記２本の水源管のうち、第１の水源管（４）が前記ウォーターボックスユニットに接続され、前記２本の水源管のうち、第２の水源管が外部水源に接続され、蒸気を発生する過程において、前記ウォーターボックス（２１）における水位が低水位設定値Ｈ１より低いと検出されると、前記第１の水源管を閉じて前記第２の水源管を開くことで、蒸気発生器（３）で蒸気を発生し続けると同時に補水孔を通して前記ウォーターボックス（２１）に水を補給し、前記ウォーターボックス（２１）における水位が低水位設定値Ｈ１以上になった後、再び前記第１の水源管を開いて前記第２の水源管を閉じることで、ウォーターボックスユニット内の水を再使用して蒸気を発生する、
請求項６に記載の方法。
【請求項８】
前記ウォーターボックス（２１）における水位が前記高水位設定値Ｈ２より高くなると、コントローラはウォーターボックス（２１）が満水になったという提示情報を発信し、衣類乾燥機の動作を停止する、
請求項７に記載の方法。
【請求項９】
前記補水孔を通して前記ウォーターボックス（２１）に水を補給する過程において、蒸気発生器（３）が蒸気の発生を停止すると、水の補給を停止する、
請求項７に記載の方法。
【請求項１０】
前記補水孔を通して前記ウォーターボックス（２１）に水を補給する過程において、蒸気を噴射する時間が予め設定された時間Ｔに達した後、蒸気発生器（３）が蒸気の発生を停止すると同時に、水の補給も停止する、
請求項７に記載の方法。
【発明の詳細な説明】
【技術分野】
【０００１】
本出願は、衣類乾燥機用凝縮水の捕集・蒸発装置、当該凝縮水の捕集・蒸発装置が設置された衣類乾燥機、及び当該衣類乾燥機の制御方法に関する。
【背景技術】
【０００２】
衣類乾燥機は、加熱された空気を利用して衣類を乾燥させるものであるため、衣類にしわや異臭が生じやすくなる。通常、衣類乾燥機には、蒸気発生器が設置されており、蒸気発生器による蒸気が衣類に対して作用し、しわや異臭を除去することができる。
【０００３】
通常、衣類乾燥機は凝縮水回収ボックスの下方に貯水装置が設置されており、当該貯水装置が蒸気発生器に更に接続されることにより、凝縮水で蒸気を発生して衣類にアイロンをかける。
【０００４】
当該衣類乾燥機には独立した貯水装置を設置する必要があるため、衣類乾燥機は構造が複雑になり、取り付け工程が煩雑になる。また、当該貯水装置は構造に制限があり、大きすぎてはならず、貯水量が少ない。
【発明の概要】
【０００５】
本発明実施例は、構造がより合理的であり、取り付けがより便利であり、コストがより低くなる衣類乾燥機用凝縮水の捕集・蒸発装置を提供する。
【０００６】
本発明実施例は、構造がより簡単であり、凝縮水の流通がよりスムーズになる衣類乾燥機を更に提供する。
【０００７】
本発明実施例は、制御プロセスがより簡潔であり、制御精度がより高くなる衣類乾燥機の制御方法を更に提供する。
【０００８】
一つの態様において、本発明の実施例は、以下の技術案を採用する。
【０００９】
凝縮水を捕集するように配置されたウォーターボックスユニットと、蒸気を発生するように配置された蒸気発生器と、前記ウォーターボックスユニットと蒸気発生器との間に接続された第１の水源管とを含む衣類乾燥機用凝縮水の捕集・蒸発装置。
【００１０】
特に、前記ウォーターボックスユニットは、凝縮水を貯蔵するように配置されたウォーターボックスと、前記ウォーターボックスを収容するように配置されたウォーターボックス収容室とを含み、前記ウォーターボックス収容室は前記第１の水源管の一端に接続され、前記ウォーターボックスに水位センサが内設され、前記水位センサは衣類乾燥機のコントローラに接続され、前記ウォーターボックスの側壁又は底壁に弁が設置されている。
【００１１】
前記ウォーターボックスは中空ボックス状構造であってもよく、前記ウォーターボックスの側壁に補水孔が設置され、前記補水孔は接続部を介して外部水源に接続されている。
【００１２】
特に、前記蒸気発生器は２本の水源管と１本の噴気管とを含み、前記２本の水源管のうち、第１の水源管が前記ウォーターボックスユニットに接続され、前記２本の水源管のうち、第２の水源管が外部水源に接続されている。
【００１３】
もう一方の態様において、本発明の実施例は、以下の技術案を採用する。
【００１４】
上記凝縮水の捕集・蒸発装置が設置されている衣類乾燥機。
【００１５】
また別の態様において、本発明の実施例は、以下の技術案を採用する。
【００１６】
上記衣類乾燥機に基づく制御方法であって、ウォーターボックスユニットを用いて凝縮水を捕集し、衣類乾燥機内部の衣類に対して蒸気を噴射する必要があると、第１の水源管を開くことで、前記ウォーターボックスユニットから蒸気発生器に凝縮水を流入させて蒸気を発生させ、蒸気を噴射する時間が予め設定された時間Ｔに達した後、蒸気発生器の動作を停止する制御方法。
【００１７】
特に、前記ウォーターボックスユニットは、凝縮水を貯蔵するように配置されたウォーターボックスを含み、前記ウォーターボックスに水位センサが内設され、前記水位センサは衣類乾燥機のコントローラに接続され、蒸気を発生する過程において、前記ウォーターボックスにおける水位が低水位設定値Ｈ１より低いと検出されると、蒸気の発生を一時停止し、前記補水孔を通して前記ウォーターボックスに水を補給し、水位が前記低水位設定値Ｈ１以上になると、蒸気の発生を再開し、前記ウォーターボックスにおける水位が高水位設定値Ｈ２に達すると、水の補給を停止する。或いは、前記蒸気発生器は２本の水源管と１本の噴気管とを含み、前記２本の水源管のうち、第１の水源管が前記ウォーターボックスユニットに接続され、前記２本の水源管のうち、第２の水源管が外部水源に接続され、蒸気を発生する過程において、前記ウォーターボックスにおける水位が低水位設定値Ｈ１より低いと検出されると、前記第１の水源管を閉じて前記第２の水源管を開くことで、蒸気発生器で蒸気を発生し続けると同時に前記補水孔を通して前記ウォーターボックスに水を補給するが、前記ウォーターボックスにおける水位が前記低水位設定値Ｈ１以上になった後、再び前記第１の水源管を開いて第２の水源管を閉じることで、ウォーターボックスユニット内の水を再使用して蒸気を発生する。
【００１８】
前記ウォーターボックスにおける水位が前記高水位設定値Ｈ２より高くなると、コントローラはウォーターボックスが満水になったという提示情報を発信し、衣類乾燥機の動作を停止できる。
【００１９】
特に、前記補水孔を通して前記ウォーターボックスに水を補給する過程において、蒸気発生器が蒸気の発生を停止すると、水の補給を停止する。
【００２０】
特に、前記補水孔を通して前記ウォーターボックスに水を補給する過程において、蒸気を噴射する時間が予め設定された時間Ｔに達した後、蒸気発生器が蒸気の発生を停止すると同時に、水の補給も停止する。 
【００２１】
本発明実施例に係る衣類乾燥機用凝縮水の捕集・蒸発装置はウォーターボックスユニットが第１の水源管を介して蒸気発生器に直接接続されることで、構造がより合理的となり、取り付けがより便利になり、コストがより低くなる。
【００２２】
本発明実施例に係る衣類乾燥機は、上記凝縮水の捕集・蒸発装置が設置されることで、衣類乾燥機の構造がより簡単になり、凝縮水の流通がよりスムーズになる。
【００２３】
本発明実施例に係る衣類乾燥機の制御方法は、ウォーターボックスユニット内の凝縮水を蒸気発生器に直接供給して蒸気を発生させることで、貯水装置が省略された結果、ウォーターボックスにおける水位の高低を直接監視でき、タイムリーな補水が可能になり、制御プロセスがより簡潔になり、制御精度がより高くなる。
【図面の簡単な説明】
【００２４】
【図１】本発明の実施例１におけるウォーターボックスの構造模式図である。
【図２】本発明の実施例１におけるウォーターボックスの底面図である。
【図３】本発明の実施例３における衣類乾燥機の正面図である。
【図４】本発明の実施例３における衣類乾燥機の構造模式図である。
【発明を実施するための形態】
【００２５】
以下、図面を参照しながら実施例によって本発明の技術案を説明する。
【００２６】
実施例１
【００２７】
本実施例は、凝縮水を捕集するように配置されたウォーターボックスユニットと、蒸気を発生するように配置された蒸気発生器と、ウォーターボックスユニットと蒸気発生器との間に接続された第１の水源管とを含む衣類乾燥機用凝縮水の捕集・蒸発装置を提供する。
【００２８】
ウォーターボックスユニットは蒸気発生器に直接接続され、蒸気発生器に凝縮水を提供して蒸気を発生することで、構造がより合理的になり、占める空間がより小さくなり、凝縮水の利用率がより高くなる。 
【００２９】
ウォーターボックスユニットは、凝縮水を貯蔵するように配置されたウォーターボックス２１と、ウォーターボックス２１を収容するように配置されたウォーターボックス収容室とを含み、ウォーターボックス収容室は第１の水源管の一端に接続されている。
【００３０】
ウォーターボックス２１は、図１及び図２に示すように、中空ボックス状構造であり、ウォーターボックス２１の側壁に補水孔が設置され、上壁に給・排水孔が設置されている。補水孔は接続部２３を介して外部水源に接続され、ウォーターボックス２１における水位が低すぎると、補水孔を通してウォーターボックス２１に水を補給する。給・排水孔は凝縮水がウォーターボックス２１内に流入したり、ウォーターボックス２１から流出したりするように配置されている。
【００３１】
ウォーターボックス２１に水位センサ（図示せず）が内設され、水位センサは、衣類乾燥機のコントローラに接続され、ウォーターボックス２１における水位値を検出するように配置されている。
【００３２】
ウォーターボックス２１の側壁又は底壁に弁２５が設置され、蒸気発生器に給水を行う必要があると、弁２５を開くが、給水の必要がないと、弁２５を閉じる。弁２５は電磁弁であってもよい。
【００３３】
実施例２
【００３４】
本実施例は、構造が実施例１と基本的に同様である装置であって、凝縮水を捕集するように配置されたウォーターボックスユニットと、蒸気を発生するように配置された蒸気発生器と、ウォーターボックスユニットと蒸気発生器との間に接続された第１の水源管とを含む衣類乾燥機用凝縮水の捕集・蒸発装置を提供する。
【００３５】
その相違点は、以下の通りである。ウォーターボックスユニットは構造が限定されず、ウォーターボックスと、第１の水源管の一端に接続されたウォーターボックス収容室とを含んでもよいし、第１の水源管を介して蒸気発生器に直接接続されたウォーターボックスのみを含んでもよい。
【００３６】
蒸気発生器には、ウォーターボックス収容室に接続された第１の水源管だけでなく、外部水源に接続された第２の水源管が更に設置されている。ウォーターボックスユニット内の水量が低すぎると、蒸気発生器は第１の水源管を閉じて第２の水源管を開くことで、外部水源から供給された水で蒸気を発生することができる。これにより、蒸気を発生する過程において、中断が発生しないことを保証できる。
【００３７】
実施例３
【００３８】
本実施例は、衣類乾燥機を提供する。図３及び図４に示すように、当該衣類乾燥機は、ウォーターボックス２１を収容するウォーターボックス収容室２２が設置された箱体１を含む。ウォーターボックス収容室２２は第１の水源管４の一端に接続され、第１の水源管４の他端が蒸気発生器３に接続されている。蒸気発生器３による蒸気が噴気管を通してドラム１１内に噴入することで、衣類のしわや匂いを除去する。
【００３９】
ウォーターボックス２１に水位センサ（図示せず）が内設され、水位センサは衣類乾燥機のコントローラに接続されている。
【００４０】
当該衣類乾燥機の制御方法は、以下の通りである。衣類乾燥工程をＯＮにした後、第１の送風機１２によりドラム１１内の空気が循環するように駆動され、ヒーター１６により加熱された空気がドラム１１内に流入して衣類を乾燥させる。濡れた衣類を通過した空気が変化して湿熱空気となり、湿熱空気が扉体１７の下方からスクリーンを通過してドラム１１から流出する。
【００４１】
ドラム１１から流出した湿熱空気が凝縮器１４を通過し、この時、第２の送風機１５により外部から吸入された冷空気も凝縮器１４を通過することで、湿熱空気を凝縮させる。湿熱空気の水蒸気が凝縮して貯水槽１３内に流入した後、水ポンプ（図示せず）により衣類乾燥機の上方に位置するウォーターボックス２１内に凝縮水が吸い上げられる。循環空気が変化して低温乾燥空気となり、ヒーター１６により加熱された後、次の循環を行う。
【００４２】
ドラム１１内の衣類に対して匂いやしわの除去処理を行う必要があると、ウォーターボックス２１の下壁の電磁弁が開き、ウォーターボックス２１内の凝縮水がウォーターボックス収容室２２内に流入し、ウォーターボックス収容室２２に流入した凝縮水が第１の水源管４を介して衣類乾燥機の底部に設置された蒸気発生器３内に流入する。蒸気発生器３は動作を開始し、高温水蒸気を発生する。高温水蒸気は噴気管のノズル装置によって加熱された循環風（循環空気）に噴入され、蒸気は循環風に乗ってドラム１１内に流入され、衣類に作用することで、衣類の匂いやしわを除去することが実現される。
【００４３】
ウォーターボックス２１における水位が低水位設定値Ｈ１より低くなると、蒸気発生器３の動作を停止し、コントローラは水を補給する必要があるという提示情報を発信し、補水孔を通してウォーターボックス２１に水を補給する。ウォーターボックスにおける水位が低水位設定値Ｈ１以上になるまで水を補給すると、蒸気発生器３は蒸気の発生を再開する。ウォーターボックス２１における水位が高水位設定値Ｈ２以上になると、コントローラは提示情報を発信して、ユーザに補水停止を知らせる。水を補給する過程において、蒸気を噴射する時間が既に設定時間Ｔに達したり、ユーザが蒸気噴射工程を早期に終了させたりして、蒸気発生器３の動作を停止すると、速やかに補水操作を停止する。
【００４４】
蒸気発生の頃合ではない場合、水位センサはウォーターボックス２１における水位を検出する必要もあり、当該水位が高水位設定値Ｈ２以上になると、コントローラは提示情報を発信し、且つ衣類乾燥機の現在の動作を停止させて、ユーザがウォーターボックス２１を引き出して凝縮水を排出するまで待機する。
【００４５】
実施例４
【００４６】
本実施例は、構造及び制御方法が実施例３と基本的に同様な衣類乾燥機を提供する。当該制御方法は、ウォーターボックスユニットを用いて凝縮水を捕集し、衣類乾燥機内部の衣類に対して蒸気を噴射する必要があると、第１の水源管を開くことで、ウォーターボックスユニットから蒸気発生器に凝縮水を流入させて蒸気を発生する。
【００４７】
その相違点は、以下の通りである。蒸気発生器にはウォーターボックス収容室に接続された第１の水源管だけでなく、外部水源に接続された第２の水源管が更に設置されている。ウォーターボックスユニット内の凝縮水が少なすぎると、第１の水源管を閉じて第２の水源管を開くことで、蒸気発生器で蒸気を発生し続けると同時に、補水孔を通してウォーターボックスに水を補給し、補水が要求を満たした後、第１の水源管を開き、第２の水源管を閉じて、ウォーターボックスユニット内の水を再使用して蒸気を発生する。
【産業上の利用可能性】
【００４８】
本出願は、衣類乾燥機用凝縮水の捕集・蒸発装置、衣類乾燥機及びその制御方法を開示している。前記装置は、凝縮水を捕集するように配置されたウォーターボックスユニットと、蒸気を発生するように配置された蒸気発生器と、ウォーターボックスユニットと蒸気発生器との間に接続された第１の水源管とを含む。前記衣類乾燥機に上記凝縮水の捕集・蒸発装置が設置されている。上記衣類乾燥機に基づく制御方法は、ウォーターボックスユニットを用いて凝縮水を捕集し、衣類乾燥機内部の衣類に対して蒸気を噴射する必要があると、第１の水源管を開くことで、ウォーターボックスユニットから蒸気発生器に凝縮水を流入させて蒸気を発生する。前記衣類乾燥機用凝縮水の捕集・蒸発装置、衣類乾燥機及びその制御方法は、構造がより簡単で合理的であり、コストが低く、制御プロセスがより簡潔であり、制御精度がより高い。
【符号の説明】
【００４９】
１、箱体
３、蒸気発生器
４、第１の水源管
１１、ドラム
１２、第１の送風機
１３、貯水槽
１４、凝縮器
１５、第２の送風機
１６、ヒーター
１７、扉体
２１、ウォーターボックス
２２、ウォーターボックス収容室
２３、接続部
２５、弁
【図１】
2018509996.tif 000003
【図２】
2018509996.tif 000004
【図３】
2018509996.tif 000005
【図４】
2018509996.tif 000006
【国際調査報告】
2018509996.tif 000007
2018509996.tif 000008
2018509996.tif 000009
2018509996.tif 000010
2018509996.tif 000011
2018509996.tif 000012